(57)【特許請求の範囲】
【請求項１】
発光部を具備する加熱調理器の上部に設けられる加熱調理器用のトッププレートであって、透明なガラス層と、前記ガラス層の下面に配設した第１有色層と、前記第１有色層の下面に配設した遮光層と、前記遮光層を設けず前記遮光層に囲まれた前記ガラス層の部分である視認部とを備え、前記視認部は、前記第１有色層が設けられない視認窓を更に有し、第２有色層が前記視認窓の下面側を埋めて配設されることにより、前記加熱調理器上方から見たとき、前記発光部の未発光時においては前記第２有色層内に点在する無機材料が外光を乱反射し前記発光部を前記視認窓から視認できないように隠蔽することができ、かつ、前記発光部の発光時においては前記発光部の発光が前記無機材料の間の光を透過する耐熱樹脂を反射しながら通り抜け発光を視認することができることを特徴とする加熱調理器用のトッププレート。
【請求項２】
前記加熱調理器は、前記トッププレートに載置される被加熱物を誘導加熱する加熱コイル
を備え、
前記発光部は、前記加熱コイルより外周に設けられるものであって、前記視認窓は、前記発光部の上方に位置し、かつ、前記加熱コイルと略同心円形状に施されるものであって、前記第２有色層の色相は、前記発光部が未発光状態で外観色と異なる色相である請求項１に記載の加熱調理器用のトッププレート。
【請求項３】
前記第２有色層は、前記第１有色層の少なくとも前記視認窓の内縁近傍で前記第１有色層の下面に重なるように形成されることを特徴とした請求項１または２に記載の加熱調理器用のトッププレート。
【発明の詳細な説明】
【技術分野】
【０００１】
本発明は、被加熱物を載置する加熱調理器用のトッププレートに関し、特に加熱調理器の内部に設けられた発光部の発光が上部から見て視認できる加熱調理器用のトッププレートに関するものである。
【背景技術】
【０００２】
従来、この種のトッププレートには、透明なガラス層の下面にパール調層と遮光層を有する遮光層を設けることで、トッププレート下方に設けられる光源の光を上方へ透過させることができ、かつ、光源が発光していないときには調理器の内部は殆ど見えず、全面にわたって略均一なパール調の外観を表出するものがある（例えば、特許文献１参照）。
【０００３】
図５は特許文献１に示される従来の加熱調理器の上部に配置したトッププレートと発光部の断面図を示すものである。
【０００４】
図５に示すように、透明なガラス層１１１と、該ガラス層１１１の下面に配設したパール調層１１８と、パール調層１１８の下面に配設した遮光層１１３とからなり、光源１９２の上方に、遮光層１１３を設けていない視認窓１１５を有する構成としている。
【先行技術文献】
【特許文献】
【０００５】
【特許文献１】特許第４３１０９４８号公報
【発明の概要】
【発明が解決しようとする課題】
【０００６】
しかしながら、前記従来の構成は、パール調層１１８の１層で、光源が発光しているときに光源を視認させ光源の未発光時に光源を隠す視認部の役割と、視認部以外の外観色を出す役割との両方を行っているため、光源１９２が未発光時、光源１９２を隠蔽するために、パール調層１１８を濃くしすぎると、発光時の輝度が低くなったり拡散されすぎたりし、逆に、パール調層１１８を薄くしすぎた場合には、光源１９２の未発光時、光源１９２が透けてみえるので、色調整が難しく、色調整の自由度が小さいとう課題を有していた。
【０００７】
また、未発光状態で、視認部である視認窓１１５を使用者に認識させにくいという課題を有していた。
【０００８】
本発明は、上記課題を解決するものであって、光源の未発光時においては、視認部の光源を隠すことができ、かつ、上記光源の発光時においては、視認部の発光形状をくっきりと表示させ視認性を高めたり、光源の発光時及び未発光時における視認窓の色調整の自由度を高めたりすることにより、視認部の視認性を高め使用者に認識させやすくすることができる調理器用のトッププレートを提供することを目的とする。
【課題を解決するための手段】
【０００９】
上記従来の課題を解決するために、本発明の調理器用のトッププレートは、発光部を具備する加熱調理器の上部に設けられる加熱調理器用のトッププレートであって、透明なガラス層と、前記ガラス層の下面に配設した第１有色層と、前記第１有色層の下面に配設した遮光層と、前記遮光層を設けず前記遮光層に囲まれた前記ガラス層の部分である視認部と、を備え、前記視認部は、前記第１有色層が設けられない視認窓を更に有し、第２有色層が前記視認窓の下面側を埋めて配設されることにより、前記加熱調理器上方から見たとき、前記発光部の未発光時においては前記第２有色層内に点在する無機材料が外光を乱反射し前記発光部を前記視認窓から視認できないように隠蔽することができ、かつ、前記発光部の発光時においては前記発光部の発光が前記無機材料の間の光を透過する耐熱樹脂を反射しながら通り抜け発光を視認することができるものである。
【００１０】
これによって、視認部は、遮光層で囲まれているため光源の発光時にその形状を浮かび上がらせることができると共に、第１有色層が設けられない視認窓の下方に第２有色層が設けられるため、視認窓以外の外観色調を決定する第１有色層と異なる材料である第２有色層で視認窓の色調を設定することができる。このため視認窓の色調の設定の自由度が高くなり、光源の未発光時における光源を隠す機能を維持しつつ、光源の発光時の視認部の発光色を調色しやすくしたり、光源の発光時の視認部の光の拡散の程度を設定する自由度を高めたりすることができ美観を良くするなど意匠のバラエティを広くすることができる。また、第２有色層の調色により視認部の色を外観色と変えることもでき、未発光状態で、使用者が視認部を認識しやすくすることができる。
【発明の効果】
【００１１】
本発明の加熱調理器用のトッププレートは、光源の発光時に遮光層の無い部分で視認窓の形状を浮かび上がらせることができると共に、視認窓の色調の設定の自由度が高くなり光源の未発光時における光源を隠す機能を維持しつつ、光源の発光時の視認部の発光色を調色しやすくしたり、発光時の拡散の程度を変更する自由度を高めたりすることができる。したがって、美観を良くするなど意匠のバラエティを広くすることができる。また、第２有色層の調色により視認部の色を外観色と変えることもでき、未発光状態で、使用者が視認部を認識しやすくすることができる。
【図面の簡単な説明】
【００１２】
【図１】本発明の第１の実施の形態の加熱調理器用のトッププレートと発光部の断面図
【図２】本発明の第１の実施の形態の加熱調理器用のトッププレートと発光部の概略図
【図３】本発明の第１の実施の形態の加熱調理器の部分断面構成および回路構成を示すブロック図
【図４】本発明の第２の実施の形態の加熱調理器用のトッププレートと発光部の断面図
【図５】従来の加熱調理器用のトッププレートと発光部の断面図
【発明を実施するための形態】
【００１３】
第１の発明は、発光部を具備する加熱調理器の上部に設けられる加熱調理器用のトッププレートであって、透明なガラス層と、前記ガラス層の下面に配設した第１有色層と、前記第１有色層の下面に配設した遮光層と、前記遮光層を設けず前記遮光層に囲まれた前記ガラス層の部分である視認部とを備え、前記視認部は、前記第１有色層が設けられない視認窓を更に有し、第２有色層が前記視認窓の下面側を埋めて配設されることにより、前記加熱調理器上方から見たとき、前記発光部の未発光時においては前記第２有色層内に点在する無機材料が外光を乱反射し前記発光部を前記視認窓から視認できないように隠蔽することができ、かつ、前記発光部の発光時においては前記発光部の発光が前記無機材料の間の光を透過する耐熱樹脂を反射しながら通り抜け発光を視認することができることにより、視認部は、遮光層で囲まれているため光源の発光時にその形状を浮かび上がらせることができると共に、第１有色層が設けられない視認窓の下方に第２有色層が設けられるため、視認窓以外の外観色調を決定する第１有色層と異なる材料である第２有色層で視認窓の色調を設定することができる。このため視認窓の色調の設定の自由度が高くなり、光源の
未発光時における光源を隠す機能を維持しつつ、光源の発光時の視認部の発光色を調色しやすくしたり、光源の発光時の視認部の光の拡散の程度を設定する自由度を高めたりすることができ美観を良くするなど意匠のバラエティを広くすることができる。また、第２有色層の調色により視認部の色を外観色と変えることもでき、未発光状態で、使用者が視認部を認識しやすくすることができる。
【００１４】
第２の発明は、特に、第１の発明において、前記加熱調理器は、前記トッププレートに載置される被加熱物を誘導加熱する加熱コイルを備え、前記発光部は、前記加熱コイルより外周に設けられるものであって、前記視認窓は、前記発光部の上方に位置し、かつ、前記加熱コイルと略同心円形状に施されるものであって、前記第２有色層の色相は、前記発光部が未発光状態で外観色と異なる色相であることにより、未発光状態で、被加熱物を視認窓の円形状中央に置くよう使用者へ認識させ促すことができ、加熱コイル上に被加熱物を置載することを容易にすることができる。
【００１５】
第３の発明は、特に、第１または第２の発明の前記第２有色層は、前記第１有色層の少なくとも前記視認窓の内縁近傍で前記第１有色層の下面に重なるように形成することにより、印刷ずれで第１有色層と第２有色層ともに存在しない塗り残しの透明な箇所が発生しないようにすることができ、外観の美観を高めることができる。
【００１６】
以下、本発明の実施の形態について図面を参照しながら説明する。なお、この実施の形態によって本発明が限定されるものではない。
【００１７】
（実施の形態１）
図１は、本発明の第１の実施の形態の加熱調理器用のトッププレートと発光部の断面図である。図２は、本発明の第１の実施の形態の加熱調理器用のトッププレートと発光部の概略図である。図３は、本発明の第１の実施の形態における加熱調理器である誘導加熱調理器の部分断面構成および回路構成を示すブロック図を示すものである。
【００１８】
この加熱調理器である誘導加熱調理器は、例えば、キッチンなどのキャビネットに組み込んで使用される。本発明の実施の形態の誘導加熱調理器は、機器上面に設けられたトッププレート１と、高周波磁界を発生させることによって、トッププレート１上の被加熱物１０を誘導加熱する加熱コイル２とを備える。加熱コイル２は、トッププレート１の下方に設けられている。被加熱物１０は、加熱コイル２の高周波磁界により発生した渦電流によって、発熱する。
【００１９】
トッププレート１下方の本体前面使用者側には、加熱の開始／停止などを使用者が指示するための操作表示部４が設けられている。
【００２０】
加熱コイル２の下方には、商用電源２０から供給される交流電圧を直流電圧に変換する整流平滑部６と、整流平滑部６から直流電圧を供給されて高周波電流を生成し、生成した高周波電流を加熱コイル２に出力するインバータ回路７とが設けられる。
【００２１】
整流平滑部６は、ブリッジダイオードで構成される全波整流器６１と、全波整流器６１の出力端子間に接続された、チョークコイル６２及び平滑コンデンサ６３で構成されるローパスフィルタと、を有する。インバータ回路７は、スイッチング素子７３（本実施の形態ではＩＧＢＴ）と、スイッチング素子７３と逆並列に接続されたダイオード７２と、加熱コイル２に並列に接続された共振コンデンサ７１と、を有する。インバータ回路７のスイッチング素子７３がオン／オフすることによって、高周波電流が発生する。インバータ回路７と加熱コイル２は、高周波インバータを構成する。
【００２２】
本実施の形態の誘導加熱調理器は、さらに、インバータ回路７のスイッチング素子７３のオン／オフを制御することによって、インバータ回路７から加熱コイル２に供給される高周波電流を制御する制御部８を有する。制御部８は、操作表示部４から送信される信号に基づいて、スイッチング素子７３のオン／オフを制御する。
【００２３】
加熱コイル２の外周囲には、発光部９を設けており、発光部９は加熱コイルと略同心円状の略透明のポリカーボネイトで成形された導光体９１と導光体９１に略接線方向から照射する制御部８から通電発光制御される発光ＬＥＤを用いた光源９２とで構成されている。
【００２４】
また、トッププレート１は、光が透過する透明な結晶化ガラス層１１で形成されている。ガラス層の製品下面には、無機顔料からなるシルバー調の第１有色層１２を塗布し焼成して形成しており、さらに、第１有色層の下面には無機顔料を有機バインダーに含有させてなる光を通さない遮光層１３を塗布し焼成して形成している。
【００２５】
さらにまた、発光部９の上方には、遮光層１３を設けず、遮光層１３に囲まれたガラス層１１の部分である視認部１４設け、さらに、視認部１４には、第１有色層１２が設けられない視認窓１５を更に設けている。この視認窓１５の下面側に天然雲母、合成雲母などの無機顔料とシリコンレジンなどの光を透過する耐熱樹脂の混合物からなる第２有色層１６を塗布し焼成して形成している。
【００２６】
この第２有色層１６内には、光を反射する無機材料が点在分布しており、白色調の色相を呈している。
また、第２有色層１６は、第１有色層１２の少なくとも視認窓１５の内縁近傍で第１有色層１２の下面に重なるように形成されている。
【００２７】
以上のように構成された加熱調理器である誘導加熱調理器の動作と加熱調理器用のトッププレートの作用について説明する。
【００２８】
使用者が加熱開始の指示を操作表示部４で行うと、操作表示部４から送信される信号に基づいて、光源９２が発光し、導光体９１に光が導光し、発光部９が発光し、加熱中発光状態を継続する。発光部９の発光は、第２有色層１６内に点在した無機材料の間を反射しながら通りぬけ、視認窓１５よりガラス層１１を通って、調理器上方へでてくることで、調理部上方より、発光を視認することができる。また、視認窓のまわりは遮光層１３が施されており、遮光層１３により発光部９の発光が遮光され透光することができないため、視認窓から透光してきた光をより強調して使用者に視認させることがきる。
【００２９】
また同時に、使用者が加熱開始の指示を操作表示部４で行うと、制御部８は、操作表示部４から送信される信号に基づいて、インバータ回路７のスイッチング素子７３のオン／オフを制御することによって、インバータ回路７から高周波電流を加熱コイル２に供給し、加熱コイル２の高周波磁界により発生した渦電流によって、被加熱物１０を発熱させる。
【００３０】
次に、使用者が加熱停止の指示を操作表示部４で行うと、操作表示部４から送信される信号に基づいて、光源９２の発光が停止する。また、同時に、制御部８は、インバータ回路７のスイッチング素子７３のオン／オフを停止し、加熱コイル２への電流の供給を停止する。
【００３１】
この発光が停止した状態で、第２有色層１６内に点在した無機材料に外光が乱反射し、使用者が調理器上方から視認窓を通して、内部を透視することはできない。また、もちろん視認窓のまわりは遮光層１３が施されており、遮光層１３により外光が遮光され同様に使用者が調理器上方から内部を透視することはできない。
【００３２】
さらに、第２有色層１６は、第１有色層１２の少なくとも視認窓１５の内縁近傍で第１有色層１２の下面に重なるように形成することで、印刷ずれが発生しても、透明なガラス
層１１のみが存在する箇所が発生することはない。
【００３３】
以上のように、本実施の形態においては、透明なガラス層１１と、ガラス層１１の下面に配設した第１有色層１２と、第１有色層１２の下面に配設した遮光層１３と、遮光層１３を設けず遮光層に囲まれたガラス層１１の部分である視認部１４とを備え、視認部１４は、第１有色層１２が設けられない視認窓１５を更に有し、第２有色層１６が視認窓の下面側に配設されることにより、加熱調理器上方から見たとき、発光部９の未発光時においては発光部９を視認窓１５から視認できないように隠蔽することができ、かつ、発光部９の発光時においては発光部９の発光を視認することができることにより、視認窓１５は、遮光層１３で囲まれているため光源９２の発光時にその形状を浮かび上がらせることができると共に、第１有色層１２が設けられない視認窓１５の下方に第２有色層１６が設けられるため、視認窓以外の外観色調を決定する第１有色層１２と異なる材料である第２有色層１６で視認窓１５の色調を設定することができる。このため視認窓１５の色調の設定の自由度が高くなり、光源９２の未発光時における発光部９を隠す機能を維持しつつ、発光部９の発光時の視認窓１５の発光色を調色しやすくしたり、発光部９の発光時の視認窓１５の光の拡散の程度を設定する自由度を高めたりすることができ美観を良くするなど意匠のバラエティを広くすることができる。また、第２有色層１６の調色により視認窓１５の色を外観色と変えることもでき、未発光状態で、使用者が視認窓１５を認識しやすくすることができる。
【００３４】
加熱コイル２の外周の発光部９上方に施された加熱コイル２と略同心円形状の視認窓１５は、外観色と異なる色相とすることで、未発光状態で、被加熱物１０を視認窓１５の円形状中央に置くよう使用者へ認識させ促すことができ、加熱コイル２上に被加熱物１０を置載することを容易にすることができる。
【００３５】
さらに、第２有色層１６を、第１有色層１２の少なくとも視認窓１５の内縁近傍で第１有色層１２の下面に重なるように形成することにより、印刷ずれで第１有色層１２と第２有色層１６ともに存在しない塗り残しの透明な箇所が発生しないようにすることができ、外観の美観を高めることができる。
【００３６】
（実施の形態２）
図４は、本発明の第２の実施の形態の加熱調理器用のトッププレートと発光部の断面図である。
【００３７】
実施の形態１と異なる点は、第２有色層１６をシート材１７で形成し、遮蔽層１３の下面に貼り付けた点である。
【００３８】
シート材１７は、透明耐熱フィルムに、アルミナなどの白色顔料を分散した光透過性のインキを印刷したものである。
【００３９】
以上のように構成された加熱調理器である誘導加熱調理器の動作と加熱調理器用のトッププレートの作用について説明する。
【００４０】
使用者が加熱開始の指示を操作表示部４で行うと、操作表示部４から送信される信号に基づいて、光源９２が発光し、導光体９１に光が導光し、発光部９が発光し、加熱中発光状態を継続する。発光部９の発光は、シート材１７に印刷された点在したアルミナなどの無機材料の間を反射しながら通りぬけ、視認窓１５よりガラス層１１を通って、調理器上方へでてくることで、調理部上方より、発光を視認することができる。また、視認窓のまわりは遮光層１３が施されており、遮光層１３により発光部９の発光が遮光され透光することができないため、視認窓から透光してきた光をより強調して使用者に視認させること
がきる。
【００４１】
この発光が停止した状態で、シート材１７に印刷された点在したアルミナなどの無機材料に外光が乱反射し、使用者が調理器上方から視認窓を通して、内部を透視することはできない。また、もちろん視認窓のまわりは遮光層１３が施されており、遮光層１３により外光が遮光され同様に使用者が調理器上方から内部を透視することはできない。
さらに、シート材１７は、第１有色層１２の少なくとも視認窓１５の内縁近傍で第１有色層１２の下面に重なるように貼り付けることで、透明なガラス層１１のみが存在する箇所が発生することはない。
【００４２】
以上のように、本実施の形態においては、透明なガラス層１１と、ガラス層１１の下面に配設した第１有色層１２と、第１有色層１２の下面に配設した遮光層１３と、遮光層１３を設けず遮光層に囲まれたガラス層１１の部分である視認部１４とを備え、視認部１４は、第１有色層１２が設けられない視認窓１５を更に有し、シート材１７が視認窓の下面側に配設されることにより、加熱調理器上方から見たとき、発光部９の未発光時においては発光部９を視認窓１５から視認できないように隠蔽することができ、かつ、発光部９の発光時においては発光部９の発光を視認することができることにより、視認窓１５は、遮光層１３で囲まれているため光源の発光時にその形状を浮かび上がらせることができると共に、第１有色層１２が設けられない視認窓１５の下方にシート材１７が設けられるため、視認窓以外の外観色調を決定する第１有色層１２と異なる材料であるシート材１７で視認窓１５の色調を設定することができる。このため視認窓１５の色調の設定の自由度が高くなり、光源の未発光時における発光部９を隠す機能を維持しつつ、発光部９の発光時の視認窓１５の発光色を調色しやすくしたり、発光部９の発光時の視認窓１５の光の拡散の程度を設定する自由度を高めたりすることができ美観を良くするなど意匠のバラエティを広くすることができる。また、シート材１７の調色により視認窓１５の色を外観色と変えることもでき、未発光状態で、使用者が視認窓１５を認識しやすくすることができる。
【００４３】
さらに、シート材１７を、第１有色層１２の少なくとも視認窓１５の内縁近傍で第１有色層１２の下面に重なるように形成することにより、印刷ずれで第１有色層１２とシート材１７ともに存在しない塗り残しの透明な箇所が発生しないようにすることができ、外観の美観を高めることができる。
【００４４】
第２有色層はシート材で形成され、遮蔽層の下面に貼り付けられたことにより、印刷後の焼付けなどの処理を行う必要がなく、第２有色層を施さないトッププレートに対し、必要に応じてシート材の色や形状を作成し、貼り付けることで、より使用者が望む外観品位に短時間で容易に対応でき、シートの作成と管理をおこなえばよく、在庫管理も容易となる。
【産業上の利用可能性】
【００４５】
以上のように、本発明にかかる加熱調理器用のトッププレートは、発光部の未発光時においては発光部を視認窓から視認できないように隠蔽することができ、かつ、発光部の発光時においては発光部の発光を視認することが可能となるので、卓上タイプ、据え置きタイプの誘導加熱調理器および結晶化ガラスを使用しているハロゲン調理器やガス機器の天板にも適用できる。
【符号の説明】
【００４６】
１  トッププレート
２  加熱コイル
４  操作表示部
５  省電力表示部
６  整流平滑部
７  インバータ回路
８  制御部
９  発光部
１０  被加熱物
１１  ガラス層
１２  第１有色層
１３  遮光層
１４  視認部
１５  視認窓
１６  第２有色層
１７  シート材
１８  パール調層
２０  商用電源
６１  全波整流器
６２  チョークコイル
６３  平滑コンデンサ
７１  共振コンデンサ
７２  ダイオード
７３  スイッチング素子
９１  導光体
９２  光源
【図１】
0005682432.tif 000002
【図２】
0005682432.tif 000003
【図３】
0005682432.tif 000004
【図４】
0005682432.tif 000005
【図５】
0005682432.tif 000006